(57)【特許請求の範囲】
【請求項１】
電気通信スイッチ装置内に光ファイバをルーティングするための汎用性スートであって、
各々の中に光ファイバが通される第１の列の複数の導管を有する第１のパッチパネルと
各々の中に光ファイバが通される第２の列の複数の導管を有する第２のパッチパネルと、
軸線を有する光ファイバの曲り制御手段とを具備し、
この曲り制御手段は、前記軸線に沿って、前記第１の列並びに第２の列の導管と相互に延びており、使用時に、前記曲り制御手段により制御される管状経路が、前記第１のパッチパネルのいずれかの導管を前記第２のパッチパネルのいずれかの導管に接続するように、パッチ管を用いて、前記第１のパッチパネルと第２のパッチパネルとの間に形成される、汎用性スート。
【請求項２】
前記第１のパッチパネルと第２のパッチパネルとの少なくとも一方の前記列の複数の導管は、複数の列の複数の導管を含んでいる請求項１の汎用性スート。
【請求項３】
前記第１のパッチパネルと第２のパッチパネルとの少なくとも一方の前記複数の導管の少なくとも１つには、前記パッチ管により接続されるためのコネクタが設けられている請求項１又は２の汎用性スート。
【請求項４】
前記曲り制御手段は、前記第１のパッチパネルと第２のパッチパネルとの間に配置されている請求項１ないし３のいずれか１の汎用性スート。
【請求項５】
前記第１のパッチパネル、並びに第１の湾曲面を有する曲り制御手段を備えた第１の汎用性接点と、前記第２のパッチパネル、並びに第２の湾曲面を有する曲り制御手段を備えた第２の汎用性接点とを具備する請求項１ないし４のいずれか１の汎用性スート。
【請求項６】
前記第１の汎用性接点は、前記第２の汎用性接点と一体的でない請求項５の汎用性スート。
【請求項７】
３つ以上の汎用性接点を具備する請求項５又は６の汎用性スート。
【請求項８】
前記第１の列の複数の導管の少なくとも１つは、第１の導管端部と第２の導管端部とを有し、
前記第２の列の複数の導管の少なくとも１つは、第３の導管端部と第４の導管端部とを有し、
前記管状経路は、前記パッチ管の第１の端部を前記第２の導管端部に接続し、また前記パッチ管の第２の端部を前記第３の導管端部に接続することにより、形成され得る請求項１ないし７のいずれか１の汎用性スート。
【請求項９】
前記管状経路が、前記第１若しくは第２のパッチパネルの複数の導管を超えて延びるように形成され得るように、第１の光ファイバ管が、前記第１の導管端部に接続され、第２の光ファイバ管が、前記第４の導管端部に接続されている請求項８の汎用性スート。
【請求項１０】
前記第１並びに第２の光ファイバ管の少なくとも一方の曲りを管理する曲り管理手段をさらに有する請求項９の汎用性スート。
【請求項１１】
電気通信スイッチ装置内に光ファイバをルーティングするための汎用性スートであって、
軸線を有する光ファイバの曲り制御手段、並びに各々の中に光ファイバが通される１列の複数の導管を備えた汎用性接点と、
スプライス手段とを具備し、前記曲り制御手段は、前記軸線に沿って、前記１列の複数の導管と相互に延びており、
使用時に、前記曲り制御手段により制御される管状経路が、前記汎用性接点のいずれかの導管を前記スプライス手段に接続するパッチ管を用いて、前記汎用性接点とスプライス手段との間に形成されている汎用性スート。
【請求項１２】
請求項１に係る複数の汎用性スートを具備する汎用性スートの装置。
【請求項１３】
電気通信スイッチまたはルーターを有する装置であって、
電気通信スイッチまたはルーターと、
請求項１による汎用性スートにより夫々構成された第１並びに第２の汎用性スートを具備し、
管状経路が、前記第１の汎用性スートから第２の汎用性スートまで形成されており、
この管状経路は、
第１のパッチパネルの導管を第２のパッチパネルの導管に接続する、前記第１の汎用性スート内のパッチ管と、
第１のパッチパネルの導管を第２のパッチパネルの導管に接続する、前記第２の汎用性スート内のパッチ管と、
前記第１並びに第２の汎用性スート間で導管を接続する少なくとも１つの光ファイバ管とにより形成されており、
使用時に、光ファイバは、前記管状経路に沿って装着されて形成されることが可能である電気通信スイッチまたはルーターを有する装置。
【請求項１４】
少なくとも１つの二次汎用性スートをさらに具備し、
前記第１の汎用性スートは、複数の光ファイバ管を用いて、前記第２の汎用性スートを経て前記二次汎用性スートに連続的に接続され、前記管状経路は、前記第１の汎用性スートから前記二次汎用性スートまで連続的に形成され、この二次汎用性スートで終端している請求項１３の装置。
【請求項１５】
電気通信スイッチまたはルーターを有する装置であって、
電気通信スイッチまたはルーターと、
電気通信ネットワークの外部の光ファイバと、
請求項１又は１１による一次汎用性スートと、
請求項１による少なくとも１つの二次汎用性スートとを具備し、
管状経路が、前記一次汎用性スートから前記二次汎用性スートを経て前記電気通信スイッチまたはルーターに連続的に形成され、この管状経路は、
第１のパッチパネルの導管を第２のパッチパネルの導管又はスプライス手段に接続している、前記一次汎用性スート内のパッチ管と、
前記第１のパッチパネルの導管を前記第２のパッチパネルの導管に接続している、前記二次汎用性スート内のパッチ管と、
前記両汎用性スート間の導管を接続するための少なくとも１つの光ファイバ管とにより形成され、
使用時に、光ファイバは、前記スイッチ又はルーターを前記外側の光ファイバに光学的に接続するために形成されるように、前記管状経路に沿って装着されることが可能である電気通信スイッチまたはルーターを有する装置。
【請求項１６】
複数の電気通信スイッチまたはルーターが、前記一次並びに二次汎用性スートを経て、種々の外部の光ファイバに接続される請求項１５の装置。
【請求項１７】
前記両汎用性スートは、建造物の異なる階に位置されている請求項１３ないし１６のいずれか１の装置。
【請求項１８】
第２のパッチパネルとの使用に適した汎用性のパッチパネルであって、
各々の中に光ファイバが通される１列の複数の導管と、
軸線を有する光ファイバの曲り制御手段とを具備し、この曲り制御手段は、前記軸線に沿って、前記１列の複数の導管と相互に延びており、
使用時に、前記曲り制御手段により制御された管状経路が、このパッチパネルのいずれかの導管を前記第２のパッチパネルのいずれかの導管に接続するパッチ管を用いて、このパッチパネルと第２のパッチパネルとの間に形成される汎用性のパッチパネル。
【請求項１９】
電気通信スイッチまたはルーターを有する装置と電気通信ネットワークの外部の光ファイバとの間で電気通信スイッチまたはルーターにおける接続を行う方法であって、
パッチ管と光ファイバ管との長尺体を装着して前記パッチ管と光ファイバ管との長尺体の端部を接合し、請求項１又は１１による一次汎用性スートから、請求項１による二次汎用性スートを介した、前記電気通信スイッチ又はルーターまでの管状経路を形成する工程と、
この管状経路を介した連続した光ファイバを装着して、前記電気通信スイッチ又はルーターと外部のケーブルの光ファイバとを光学的に接続する工程とを具備している、接続を行う方法。
【請求項２０】
電気通信スイッチまたはルーターを有する装置における既存の接続を、第１の電気通信スイッチ又はルーターと電気通信ネットワークの外部の光ファイバとの間の、請求項１又は１１による一次汎用性スートを介した接続から再ルーティングして、第２の電気通信スイッチ又はルーターと前記外部の光ファイバとの間の接続を前記一次汎用性スートを介して行う方法であって、
第１の電気通信スイッチと一次汎用性スートとの間の接続を遮断する工程と、
パッチ管と光ファイバ管との長尺体の端部を接合して、前記一次汎用性スートから、請求項１による二次汎用性スートを介した二次電気通信スイッチ又はルーターまでの管状経路を形成する工程と、
連続した光ファイバ管を、接合された前記パッチ管と光ファイバ管とにより形成された管状経路を通して装着して、第２の電気通信スイッチ又はルーターと前記外部の光ファイバとの間に光路を設ける工程とを具備し、
前記一次並びに二次汎用性スートは、装置内の前記接合されたパッチ管と光ファイバ管とをルーティングするための手段を有している、接続を行う方法。
【請求項２１】
前記連続した光ファイバは、予め接続される請求項１９又は２０の方法。
【請求項２２】
前記連続した光ファイバは、電気通信スイッチ又はルーターを収容する設備ラックから前記一次汎用性スートまで装着される請求項１９又は２０の方法。
【請求項２３】
前記連続した光ファイバは、前記一次汎用性スートから前記電気通信スイッチ又はルーターまで装着される請求項１９又は２１の方法。
【発明の詳細な説明】
【技術分野】
【０００１】
本発明は、電気通信交換機またはルーター装置、およびこのような装置において接続を生じ、そして接続を再ルーティングする方法に関する。
【背景技術】
【０００２】
代表的な電気通信交換機建造物は、代表的には設備ラックに設けられ、ケーブルにより互いにおよび互いから、および外部の電気通信ネットワークに接続されるスイッチのような様々な多量の設備を収容している。電気通信ネットワークの中継線部品は、今日では、一般に全ファイバである。ますます、光ファイバの使用が、ファイバーカーブ、ファイバーキャビネットおよびファイバープレミスでアクセスネットワークに広がっている。その結果、事実上すべての電話交換機装置は、配線回路ではなく可なりの割合のファイバ回路を有している。光ファイバは曲りおよび歪の両方に敏感であるので、交換機装置内の光学的相互接続の管理が重要である。
【０００３】
交換機またはルーター建造物内の光ファイバプラントの主機能のうちの１つは、特定の光ファイバ設備セットからのファイバを管理し、そして例えば、外部の電気通信ネットワークからの引込ケーブルからのファイバまでルーティングすることである。光ファイバがネットワークにおいてより十分に且つより一般的に展開されているので、特に交換機内におけるかかるファイバのルーティングおよびパッチ接続は、ますます面倒になってきている。主な問題は、必要とされる設備の量および接続の純数の増大である。これらの問題は、交換機内の増大、格上げおよび変化により悪化され、その結果、新しい設備または装置を相互接続することが必要となる。引込ケーブルの物理的位置がまれに変化するが、追加のケーブルが付け加えられてもよく、新しい設備または装置は、ほとんど必ず、古いものと異なる物理的位置に設けられ、いずれの場合にも、代表的には、移動または異なる接続が行われることを必要とする。
【０００４】
交換機建造物内のファイバルーティングの現在の方法は、ケーブルを交換機建造物内でルーティングする接続または配線接点として役立つ光学的汎用性ラック（ＯＦＲ）で達成される。ＯＦＲは、数百の個々の接合ファイバを支持することができるが、しばしばそうであるように、これらのファイバが完全に占められると、ＯＦＲに厳しい混雑が生じる。ケーブルの経路の再ルーティングが必要であるこのような場合、個々のファイバを確認し、位置決めし、そして分離することがしばしば困難であって、タスクは、時間がかかり、複雑になる。ファイバの込み合いから生じる他の問題は、ファイバが極めて近接して互いを横切ってルーティングされ、総合重量が、ＯＦＲの基部の近くに位置決めされたファイバにのしかかり、増大光損失による回路の故障およびファイバの破断の恐れを増してしまうと言う点である。この問題は、より高いビット率の装置が採用される場合、これらの装置が光損失に増大により敏感である傾向があるので、更に深刻になる。
【０００５】
ＯＦＲのような、光ファイバケーブル接続、そのルーティングおよび支持構造体の装着および管理は、電気通信交換機装置を装着してケーブル接続する全コスト、時間および労力のかなりの部分を取る。交換機設備を相互接続したり、或いは引込ケーブルを交換機設備のラックに接続したりする現在の方法は、代表的には、コネクタまたはスプライスまたはそれらの組合せにより端−端接続される光ファイバの長尺体を必要とする。引込ケーブルから設備ラックまでファイバにより取られる経路は、特に、目標の設備ラックが引込ケーブルから物理的に離れていれば、例えば、設備が交換機建造物内で引込ケーブルから離れた床に着座していれば、かなりの数の接続部またはスプライスを必要とする。
【０００６】
このような従来の方法は、一般に公知であり、例えば、ブリュウワー等によるアクセスネットワーク用モジュラーオプチカルプラント（Ｐｒｏｃ.ＥＦＯＣ＆Ｎ（テクノロジーおよびインフラストラクチャー）１９９５年、１６４−１６７ページ）に記載されている。
【０００７】
コネクタまたはスプライスを使用することによりファイバ経路を生じる既存の方法と関連された問題は、ファイバ端部を接合する固有の性質から生じ、これは、専門家の装備および専門知識を必要として時間およびコストがかかる。また、接続および接合は、ジョイントの品質にかかわらず、光損失を不可避的に伴う。他の問題が生じることがあり、例えば、貯蔵ファイバが、スプライスのいずれかの側で「切れ」、それによりファイバの方向転換数、従って将来の再接合の機会を減じてしまう。
【発明の開示】
【課題を解決するための手段】
【０００８】
第１の態様では、本発明は、電気通信スイッチ装置内に光ファイバをルーティングするための汎用性スートであって、
第１の汎用性接点と、第２の汎用性接点とを備えており、前記第１の汎用性接点は、第１の組の導管を有しており、これらの導管の各々は、第１のアレイに配置された第１の端部と、第２のアレイに配置された第２の端部とを有しており、
第２の汎用性接点は、第２の組の導管を有しており、これらの導管の各々は、第３のアレイに配置された第１の端部と、第４のアレイに配置された第２の端部とを有しており、汎用性スートは、第２および第３のアレイにおける端部が相互に接続されている導管を選択することにより、第１のアレイにおける任意の導管端部と第４のアレイにおける任意の導管端部との間に連続経路を形成することができるように、第２のアレイにおける導管端部が管状相互コネクタによって第３のアレイにおける導管端部と接続されるように構成されている、汎用性スートを提供する。
【０００９】
このような構成は、交換機設定において吹込みファイバの使用を容易にする。また、この構成は、第２および第３のアレイ間に構成される「パッチ」の選択を変えるだけで既存の部分経路の再使用により新しい経路を設けるのを容易にする。
【００１０】
一般に、第２の組の導管は、両端付きコネクタの孔により形成される。同様に、第１の組の導管は、しばしば、両端付きコネクタの孔により形成される。好ましくは、導管は、スイッチまたはルーターに対してパッチ管として汎用性スート間に使用される管のまわりに或いはそれらの中にシールグリップをもたらす押し嵌めコネクタである。このようなコネクタは、管経路の急速な任命または再任命を容易にすることに関して特に良好である。
【００１１】
第２の態様では、本発明は、電気通信スイッチまたはルーター装置であって、外部の電気通信ネットワークに接続され、それから入ってくる光ファイバケーブルの光ファイバに接続されている電気通信スイッチまたはルーターと、本発明の第１の態様による第１および少なくとも１つの第２の汎用性スートと、第２および第３のアレイ間の相互接続を介して第１のアレイから第４のアレイまでの汎用性スートの各々を通って規定されている副経路とを備えており、第１の汎用性スートの第４のアレイは、第２の汎用性スートまたはそれらのうちの１つの第１のアレイと相互接続されており、第２の汎用性スートの第４のアレイまたは第２の汎用性スートの最後のアレイとスイッチまたはルーターとの間には、管状経路が設けられており、他の第２の汎用性スートは、存在するなら、管状相互コネクタによって先行する第２の汎用性スートの第４のアレイと相互接続されている次の第２の汎用性スート各々の第１のアレイと直列に相互接続されており、第１の汎用性スートとスイッチまたはルーターとの間に吹込みファイバ部材を装着するための実質的に連続した経路が設けられるようになっている。
【００１２】
第３の態様では、本発明は、電気通信スイッチまたはルーターと、電気通信ネットワークに接続されてそこから入り、一次汎用性スートで終わっている引込ケーブルの光ファイバとの間で電気通信スイッチまたはルーターにおける接続を行う方法であって、
吹込みファイバ管の長尺体を装着し、そして吹込みファイバ管の前記長尺体の端部を接合して、装置内の接合された吹込みファイバ管をルーティングするための手段を有している一次汎用性スートから二次汎用性スートを経て電気通信スイッチまでの経路を形成する工程と、その後、連続した吹込みファイバユニットを、接合された吹込みファイバ管により形成された経路を通して吹込むことにより装着して電気通信スイッチと引込ケーブルの光ファイバとの間に光路を設ける工程とを備えている接続を行う方法を提供する。
【００１３】
第４の態様では、本発明は、電気通信スイッチまたはルーター装置における既存の接続を、第１の電気通信スイッチと一次汎用性スートとの間の接続から再ルーティングして、第２の電気通信スイッチと一次汎用性スートとの間の接続を行う方法であって、
第１の電気通信スイッチと一次汎用性スートとの間の接続を一次汎用性スートのところで遮断する工程と、吹込みファイバ管の長尺体を装着し、そして吹込みファイバ管の長尺体の端部を接合して一次汎用性スートから二次汎用性スートを経て（これらの一次および二次汎用性スートは装置内の接合された吹込みファイバ間をルーティングするための手段を有している）二次電気通信スイッチまでの経路を形成する工程と、その後、連続した吹込みファイバ管を、接合された吹込みファイバ管により形成された経路を通して吹込むことにより装着し、それにより第２の電気通信スイッチと引込ケーブルの光ファイバとの間に光路を設ける工程とを備えている接続を行う方法を提供する。
【発明を実施するための最良の形態】
【００１４】
添付図面を参照して本発明の実施の形態を単に例として以下に説明する。
【００１５】
図１は、引込ケーブル（５）に接続された交換機建造物内の特定の設備ラック（２）の現在の交換設備の代表的なレイアウトを示している。疑問回避のために、「引込ケーブル」は、例えば、外部の電気通信ネットワークと接続するために交換機に入る任意のケーブルを含んでいる。引込ケーブル（５）は、代表的には、内部ケーブル（１ｃ）への継手（１０ｆ）によるケーブル室ジョイント（ＣＣＪ）（８）で終わっている。このＣＣＪは、代表的には、設備ラック（２）と同じ建造物内に位置決めされているが、これは、必ずしもそうではない。ＣＣＪは、交換機内のファイバルーティングの目的の交換機の「電線側」を表している。設備ラックは、交換機内のファイバルーティングの目的の「設備側」を表している。
【００１６】
内部ケーブル（１ｃ）は、一端部がＣＣＪにおける引込ケーブルに接合されており、他端部が光学的汎用性ラック（ＯＦＲ）（４ｄ）のような電線側の汎用性接点に接合されている。
【００１７】
汎用性接点は、種々の機能を果たし、主として、使用者が或る接点を選択してこれを交換機内の任意の他の接点へ、例えば、交換機設備の任意の箇所から設備の任意の他の箇所へ、或いは引込ケーブルから／へ、接続し得るための接続接点または配線接点として役立つ。汎用性接点は、また、代表的に高いファイバ数の引込ケーブルと内部ケーブル（これは単一ファイバでもよいし、或いは多数のファイバを有してもよい）とのインターフェースをもたらし、引込ファイバを安全蓄積のために接合トレー上で終わらせ、各個々のファイバへの容易な接近を行い、そして試験接点として役立つ。しかしながら、現在の目的で、これらの汎用性接点が電線側のファイバを設備側のファイバに接続することができることにのみに興味がある。代表的には、少なくとも２つの汎用性接点が、１つが電線側、１つが設備側の交換機内のファイバのルーティングを容易にするために、より通常には、並んだ対で使用される。汎用性接点のこのようなグループ分けは、この特許範囲内では、汎用性スートと呼ばれる。疑問回避のために、「汎用性接点」および「汎用性スート」は、この説明では、ファイバケーブルについてのＯＦＲスート、および（後で図３と関連して論述される）吹込みファイバ管汎用性モジュール（ＢＦＴＦＭ）およびＢＦＴＦＭスートを一般的に指すものである。
【００１８】
ＯＦＲスート（４ａおよび４ｂ、４ｃおよび４ｄ）によれば、電線側の汎用性接点および設備側の汎用性接点で終わっているファイバを１つのファイバまたは１対のファイバに専用される接合トレーにおいて互いに接合し得る。ファイバジャンパー（３ａ、３ｂ）が、代表的にはスートを構成する一対のＯＦＲ間に接合されている。他のファイバケーブル（１ｂ）が、設備側のＯＦＲ（４ｃ）を次の線側のＯＦＲ（４ｂ）に接続している。図１における（４ｃ、４ｄよりなる）第１のＯＦＲスートはＣＣＪの近くに位置決めされており、（４ａ、４ｂよりなる）最後のスートは目標の設備ラックの近くに位置決めされるものである。実際の交換機では、多数のＯＦＲスートが、光ケーブルを配線し、且つルーティングし、（４ａ、４ｂよりなる）「最後のＯＦＲスート」は、目標の設備ラック（２）に最も近くに位置決めされたスートである。
【００１９】
図１に示される先行技術は２対のＯＦＲ（すなわち、２スート）を含む最も基本的なレイアウトを示している。実際、交換構造物のレイアウトおよび光路の複雑さおよび長さによっては、設備ラックへの光路を示すのに任意の数のＯＦＲスートが使用されることができる、これは、光路におけるスプライスまたは接続部の数に影響を及ぼす。図１に示される基本的な構成については、最大６つのスプライス（１０ａないし１０ｆ）が必要とされる。
【００２０】
図２Ａおよび図２Ｂは、現在の実施例によれば、従来の光ファイバ装置における第１の設備ラック（２）から第２の設備ラック（１２）まで光路が如何に再ルーティングされるかを示している。
【００２１】
図２Ａに示される装置では、光路が引込ケーブル（５）を既存の設備ラック（２）に接続している。引込ケーブル（５）と設備ラック（２）との間には、６つのスプライス（１０ａないし１０ｆ）がある。光路を異なる位置で新しい設備（１２）に再ルーティングするために、ＯＦＲにおけるスプライスは、古い光路において遮断されなければならない。古い光路に沿った他のスプライス（１０ａないし１０ｄ）は、必要なら、遮断されることができる。図２Ｂは、２つのＯＦＲ（４）を通る新しい設備ラック（１２）までの光路を示している。ＣＣＪ（８）に隣接した線側ＯＦＲ（４ｄ）からの新しい光路を生じるために、５つの新しいスプライス（１０ｈないし１０ｌ）が形成されている。上述のように、接合は時間がかかり、従って、かなりの専門家の技量を必要とする高価な手順である。各スプライスは信号の減衰を不可避的に生じ、新しいスプライスの形成は、光路における悪く行なわれる接続の恐れを必然的に伴う。古い光路に使用されたケーブルは、取外されてもよいが、再使用に適していないなら、一般的にそうであるように、廃棄される。変更例として、このケーブルは、適所に残されてもよく、かくして交換機内の混雑の問題を更に増すことになる。
【００２２】
図３は、本発明の第１の実施の形態を示している。接合される必要があるＯＦＲ（例えば、図１における１ａ、３ａ、１ｂ、３ｂおよび１ｃ）を接続するファイバの別々の長さの代わりに、吹込みファイバユニット（ＢＦＵ）が、引込ケーブル（５）と設備ラック（２）との間の接続を行うためにＯＦＲ（４）から設備ラック（２）まで装着されている。
【００２３】
引込ケーブル（５）は、図１と関連して以上で述べたように、通常のようにして第１の線側ＯＦＲ（４）で終わっている。内部ケーブル（１）が、ＣＣＪのところで引込ケーブルに接合されており、この内部ケーブル（１）は、図１と関連して以上で述べたように、その他端部が通常のようにして従来の線側ＯＦＲ（４）に収容された接合トレーに接合される。線側ＯＦＲ（４）から、吹込みファイバ管（ＢＦＴ）の長尺体またはその束（１６）が、吹込みファイバ管汎用性モジュール（ＢＦＴＦＭ）（１４）と称しているＢＦＴ用の多数の汎用性接点を介して設備ラック（２）にパッチ接続されている。これらのＢＦＴＦＭは、代表的には、単一の管と、押し嵌めＢＦＴコネクタとを備えている。適当な押し嵌めコネクタは、ジョーンゲスト社から得られることができる。図１と関連して上述したように、ＢＦＴＦＭは、吹込みファイバダクトの長尺体をルーティングして接合することによって任意の接点から任意の他の接点までの吹込みファイバ装着経路を交換構造物内に形成し得る汎用性接点である。ＯＦＲに関しては、ＢＦＴＦＭは、最も一般的には、１つが線側（１４ｂ）で、１つが設備側（１４ａ）での対またはスートで用いられる。内部ケーブル（１）が接合されるＯＦＲ（４）は、汎用性スートの一方の半体を構成し、スートの他方の半体は、設備側のＢＦＴＦＭ（１４ｃ）である。この汎用性スートを一次汎用性スートと称する。この一次汎用性スートとスイッチ／ルーターとの間の吹込みファイバ経路内には、１つまたはそれ以上の他の汎用性スートがあり、これらのスートは、二次汎用性スートと称せられる。
【００２４】
前述の一次汎用性スートの構成の変更例として、一次汎用性スートは、（ＯＦＲおよびＢＦＴＦＭとは対照的に）２つのＢＦＴＦＭを備えることもできる。一次汎用性スートにおけるＯＦＲの主な機能は、例えば１４４本までのファイバを備えることができる引込ケーブル（５）を受入れること、およびこのケーブルの個々のファイバのための脱出点をなすことである。この引込ケーブルの個々のファイバは、例えば、ＣＣＪ（８）のところで、或いはＣＣＪと一次汎用性スートとの間の任意の点で脱出されることが可能である。しかしながら、そうすることは、普通、望ましくはない。何故なら、これは、例えば１４４本までの個々のファイバを処理のために一次汎用性スートまで繰り出すことを意味するからである。従って、この説明の目的で、一次汎用性スートは、ＯＦＲ−ＢＦＴＦＭであると論述されるが、これが可能な唯一の構成ではないことは理解すべきである。
【００２５】
この実施の形態におけるＢＦＴ（１６ａ、１６ｂ）は、設備ラックまでの経路に沿って１つの設備側ＢＦＴＦＭから次の線側ＢＦＴＦＭまでの間に装着されている。この経路は、完成されたＢＦＴ経路が吹込みファイバユニット（ＢＦＵ）を受け入れる用意ができてＯＦＲ（４）と設備ラックとの間に形成されるように、汎用性スート（１４ｃおよび１４ｄ、１４ａおよび１４ｂ）内にＢＦパッチ管（１７ａ、１７ｂ）を装着することにより完成される。この場合、ＢＦＵは、経路の一方の端部または他方の端部、すなわち、設備ラック（２）から或いは第１のＯＦＲ（４）から吹込むことにより装着される。
【００２６】
本発明の好適なバージョンでは、ヨーロッパ特許第Ｂ−０５２１７０号に全体的に記載されているようなＥＰＦＵ（向上性能のファイバユニット）が使用される。パッチ管として使用されるＢＦＴまたはダクトは、代表的には、１.５ｍｍないし５ｍｍの範囲、より通常的には、２.４ｍｍと４ｍｍとの間、特に２.５ｍｍないし３.５ｍｍの内孔径を有している。特に好適な孔径は、２.５ｍｍであり、この孔径を有する管は、４ｍｍの外径を有するように有利に製造されることができる。もちろん、円形の内部横断面の使用も、円形の外部横断面の使用も不可欠ではないが、これらは、しばしば使用される。しばしば、ファイバユニットは、それらが偶数のファイバ、例えば、２本のファイバ、４本のファイバ、８本のファイバを収容していれば、より安定に製造されることができるが、もちろん、奇数のファイバ数を使用することができる。多数のファイバを有するファイバユニットの使用は、例えば、多数のファイバが同じ目標ラックのところで終らされる場合、および／またはこれらのファイバが同じ顧客に役立つ場合に、有用である。
【００２７】
図３は、ちょうど２つの汎用性スートを示しているが、以上で論述したように、物理的距離、建造物レイアウト、および発生点から目標点まで取られる経路によっては、更なる汎用性スートを用いることができる。
【００２８】
例として、シナリオが、地下室にＣＣＪ（８）が位置決めされ、１階に一次汎用性スート（４）が位置決めされ、そして２階に設備ラック（２）が位置決めされることを含むなら、装着は、下記の工程を含む。  
１.  ＣＣＪ（８）を装着する。  
２.  引込ケーブル（５）をＣＣＪのこころで終らせる。  
３.  ＣＣＪと一次汎用性スート（４）のＯＦＲとの間に内部ケーブル（１）を装着する。  
４.  ＣＣＪのところで、引込ケーブル（５）からのすべてのファイバを内部ケーブル（１）に接合する。  
５.   内部ケーブル（１）からのすべてのファイバをＯＦＲ（４）のところで終らせる。  
６.  一次汎用性スートにおけるＢＦＴＦＭ（１４ｃ）の設備側から２階の線側のＢＦＴＦＭ（１４ｂ）までＢＦＴ（１６ｂ）を装着する。  
７.  ２階の設備ラック（２）から２階のＢＦＴＦＭ（１４ａ）の設備側までＢＦＴ（１６ａ）を装着する。  
８.  代表的には現場の長さに切断されたＢＦパッチ管（１７ａ、１７ｂ）を使用してＢＦＴ経路を汎用性スートにパッチ接続する。「パッチ管」は、一般に、ＢＦＴＦＭの設備側のＢＦＴとＢＦＴＦＭの線側のＢＦＴとの間に「パッチ」を設けるための管の短い長尺体である。  
９.  ＢＦＵを装着する。吹込みは、通常、設備ラック（２）から、或いはＯＦＲから行なわれるが、或る中間箇所からの吹込みもまた可能であることもある。  
１０.  ＯＦＲのところで、内部ケーブル（１）を装着されたＢＦＵに接合する。  
１１.  設備ラックのところで、設備ラック（２）からのピグテールを装着されたＢＦＵに接合する（もちろん、設備ピグテールがコネクタ付けされている場合、すなわわち、これらがコネクタを有している場合、ＢＦＵが予めコネクタ付けされ、ＢＦＵのコネクタがピグテールのコネクタに連結されることができるようにすることが有用である。
【００２９】
光学設備を外部ネットワークに接続するために吹込みファイバユニットの単一の未遮断の長尺体を使用する主な利点が損失の多いスプライスおよび／またはコネクタの除去であることは、熟練者には明らかであろう。それらの除去により、これらの公知の信頼性弱点を除去することになる。図３に示された基本構成では、図１に示される従来の構成における６つと比較して、ＣＣＪと設備ラックとの間に、１本のファイバあたりたった３つのスプライス（１０ａ、１０ｂ、１０ｃ）が設けられている。高価で壊れ易い接合およびコネクタ付けが著しく減少されるので、時間およびコストの節約が達成される。
【００３０】
図４Ａおよび図４Ｂは、引込ケーブル（５）を既存の設備ラック（２）に接続する光路が本発明による新しい設備ラック（１２）に如何に変更されることができるかを示している。
【００３１】
図４Ａは、２つの汎用性スート（１４）を通る引込ケーブル（５）と古い設備ラック（２）との間の既存の光路を示している。図４Ｂは、既存の光路においてたった２つのスプライス（１０ａ、１０ｂ）が如何に遮断されなければならないかを示しており、これは、５つの遮断を必要とする（図２参照）従来方法における同等なものに有利に匹敵する。スプライスが遮断された後（或いはより一般的に、ファイバが切断された後）、吹込みファイバユニットが取出される。次いで、汎用性スート（１４ｄおよび１４ｅ、１４ｃおよび４）間のＢＦＴ（１６）およびスート内の汎用性接点間の単一管ＢＦＴパッチリード線（１７ｃ、１７ｄ）を使用して、経路が再構成される。次いで、経路の一端部または他端部から、すなわち、新しい設備ラック（１２）から或いはＯＦＲ（４）からの吹込みにより、ＢＦＵが、図３と関連して上述したように装着される。たった２つの新しいスプライス（１０ｃ、１０ｄ）が、ＯＦＲおよび新しい設備ラックに構成される。
【００３２】
本発明の更に他の利点は、重ケーブルの装着を必要とする従来の技術と比較して、再ルーティングにおける汎用性および使用者にとっての好都合性であることがわかる。
【００３３】
図５および図６は、必要とされるスプライスの数を更に減少させる本発明の実施の形態である図３に示された構成の改良例を示している。
【００３４】
図５では、ＣＣＪ（８）およびそこにおけるスプライスが除去されている。その代わりに、引込ケーブル（５）は、線側ＯＦＲ（４）のところで（装着されたときの）吹込みファイバユニットに直接接続されている。この構成では、引込ケーブルとスイッチ／ルーターとの間に１本のファイバあたり２つのスプライスのみがある。例として、以下の工程は、引込ケーブルが地下室において建造物に入り、一次汎用性スート（４）が１階にあり、そして設備ラックが２階に位置決めされる場合にこの装着を生じるために取られることができる工程である。
【００３５】
１.  引込ケーブル（５）をケーブル室から一次汎用性スート（４）のＯＦＲまでルーティングする。  
２.   引込ケーブル（５）のすべてのファイバをＯＦＲ（４）に装着する。一次汎用性スートの１階のＢＦＴＦＭ（１４ｃ）の設備側から２階の線側ＢＦＴＦＭ（１４ｂ）までＢＦＴ（１６ａ）を装着する。  
３.  設備ラック（２）から２階のＢＦＴＦＭ（１４ａ）の設備側までＢＦＴを装着する。  
４.  代表的には現場長さに切断されたＢＦパッチ管（１７ａ、１７ｂ）を使用してすべてのＢＦＴＦＭを通るＢＦＴ経路を設ける。  
５.  ＢＦＵを装着する。吹込みは、一般に、設備ラックから、或いは第１のＯＦＲから行なわれる。  
６.  ＯＦＲのところで、引込ケーブル（５）を装着されたＢＦＵに接続する。  
７.  設備ラックのところで、設備ラック（２）からのピグテールを装着されたＢＦＵに接続するか、或いはコネクタ付きであれば、ＢＦＵのコネクタをピグテールのコネクタに接合する。
【００３６】
図６における構成によれば、設備ラック（２）と引込ケーブル（５）とをＯＦＲ（４）のところのたった１つのスプライス（１０）で接続し得る。この場合、ＢＦＴは、設備ラック（１４ａ）からこれに最も近くに位置決めされたＢＦＴＦＭの設備側まで直接装着される。ＢＦＵは、図３を参照して上述した方法で装着される。例として、下記の工程は、引込ケーブルが地下室において建造物に入り、一次汎用性スート（４）が１階にあり、そしてセ恥部ラックが２階に位置決めされる場合にこの装着を生じるために取られることができる工程である。
【００３７】
１.  引込ケーブルをケーブル室から一次汎用性スートのＯＦＲ（４）までルーティングする。  
２.   引込ケーブルのすべてのファイバをＯＦＲ（４）のところで終らせる。  
３.   一次汎用性スートの１階のＢＦＴＦＭ（１４ｃ）の設備側から２階の線側ＢＦＴＦＭ（１４ｂ）までＢＦＴ（１６ｂ）を装着する。  
４.  設備ラック（２）から２階のＢＦＴＦＭ（１４ａ）の設備側までＢＦＴ（１６ａ）を装着する。  
５.  通常、現場長さに切断されたＢＦパッチ管（１７ａ、１７ｂ）を使用してすべてのＢＦＴＦＭを通るＢＦＴ経路をパッチ接続する  。
【００３８】
６.  スイッチまたはルーターの設備ラックからの吹込みにより予めコネクタ付きされたＢＦＵを装着する。  
７.  ＯＦＲのところで、ＢＦＵの引込ケーブル（５）を接続する。
【００３９】
図７は、ＢＦＴＦＭ（１４）の実施の形態を示している。このＢＦＴＦＭは、ここではコネクタ無しで示されるパッチ接続パネル（１１）を有しているが、コネクタは、一般には、パネル１１に示される穴の各々内に（例えば図１４に示されるように）両端付き形態で設けられる。パネル１１の上方には、１組の曲がり制御羽根、即ちマンドレル２４が、パネル１１におけるコネクタ部位の各々に１つずつ示されている。これらの羽根２４は、左側からＢＦＴＦＭに接近する管を受入れるように構成されており、この場合、管は、パネル１１におけるコネクタ部位に届くように曲げられている。これらの管は、パッチ接続管であることができ、或いは前のスートから出るか後のスートに進む管であることもできる。コネクタの他端部は、パネル１１に嵌入されると、下方に向き、管（代表的にはパッチ接続管）が、これらのコネクタに合わせられ、次いで他のＢＦＴＦＭ（代表的には、同じスートの他の部品をなすＢＦＴＦＭ）のコネクタに導かれる。図７に示される構成は、図７Ｂに示されるような整合ＢＦＴＦＭについて使用されるようになっている。このような構成では、パッチ接続管は、代表的には、孔９９を下方に通りＢＦＴＦＭの背面のところで出ている。全体的に７７として示される３辺付き構造体の湾曲面は、スートの２つのＢＦＴＦＭを接合するパッチ管用の曲げマンドレルを設けるのに役立つ。端部分７６、７８は、パッチ管の或る程度の横方向の制限をもたらし、ならびに他の曲がり案内マンドレルを設ける。好ましくは、曲がり管理マンドレル２４は、パッチ接続パネルの特定の大きさに合うように一体の構造体として設けられる。また、曲り管理マンドレルまたはこれらの組立体が、いずれかの側に、すなわち、管をスートの左側から、或いはスートの右側から受入れるように嵌合されることができるなら、好適である。曲りマンドレル構成物または組立体は、これらの管を左側および右側の両方から受入れるように設けられることができ（すなわち、図７において、組立体２４の左側部分は図示の如くであることができ、右側部分は、右側に向かう曲り（例えば、左側の鏡像）を持つマンドレルまたは羽根を有することができる。明らかに、このような構成は、マンドレルの左半分が左側に曲り、右半分が右側に曲がる対称である必要がないが、例えば、３分の１と３分の２とに、或いは５分の１と５分の４とに配置されることができる。
【００４０】
好ましくは、ＢＦＴＦＭは、取替え容易のために、既存のＯＦＲまたは交換機に現在使用されている他の一般的な汎用性ラックと約同じ面積および空間を占める。従って、英国では、英国電気通信ピック（ｐｉｃ）の交換機において、ＢＦＴＦＭが幅ほぼ１０００ｃｍ、深さ４００ｃｍおよび高さ８３０ｃｍであることが期待されている。ＢＦＴＦＭのこの建造は、約２５０ｃｍの全高さを占めるように、図７Ｆに示されるように、線側および設備側で、各々、３つのモジュール高さに積重ねられることが期待されている。状況の特定の要件に応じてＢＦＴＦＭを寸法決めして構成することがもちろん可能である。
【００４１】
以上で簡単に述べたように、ＢＦＴＦＭは、最適化されたＢＦＵの装着のために確実な管曲がり管理（例えば、マンドレル２４）を組み入れることが好ましい。この技術の更なる論述を図１０および図１１の論述で以下に示すが、要するに、これは、装着された光ファイバが最小の許容可能な曲り半径未満に曲げられるのを防ぐ助けになる。
【００４２】
図７Ａないし図７Ｆは、単一モジュールから６モジュール構造までのＢＦＴＦＭスートへの図７のＢＦＴＦＭの構成の確実な建造を示している。単一のＭＦＴＦＭは、汎用性接点として使用されてもよいが、（例えば、１つまたはそれ以上にスートを設けるために）多モジュールが好ましく、それらのモジュール方式は、用途および拡張範囲に汎用性を許容する。
【００４３】
図７Ａは、単一モジュールＢＦＴＦＭを示している。ケーブルが左側または右側から入るのを許容する２つの変形例が利用可能である。図示の例によれば、ケーブルは、左側から供給される。これと同様な単一ユニットが、ＰＦＲのような汎用性接点の背面に設けられて汎用性スートの第１建造物ブロック、特に、ＣＣＪまたは引込ケーブルに最も隣接したスートをもたらす。
【００４４】
図７Ｂは、線側および設備側を有する汎用性スートを生じるように背中合わせで設けられた２つのＢＦＴＦＭモジュールを示している。一般に、２つのモジュールは線／設備側汎用性をもたらすのに最適である。
【００４５】
図７Ｃは、図７Ｂの構成の頂部に設けられた更なるＢＦＴＦＭを示している。このような構成は、例えば、線側モジュールのためのものと比較して、設備側モジュールのための要求の一様でない増大がある場合に必要とされることがある。
【００４６】
図７Ｄは、更なる建造がスートの一端部から側部まで行なわれることができることを示している。この場合、ケーブルの進入が左側からであるとき、更なるモジュールが、右側に付設される。
【００４７】
図７Ｅおよび図７Ｆは、ＢＦＴＦＭに使用における増大の可能性を示すために５モジュールおよび６モジュール構成を示している。
【００４８】
図８における右側の図面は、吹込みファイバパッチ管（１７）で部分的に占められたＢＦＴＦＭのスートの他の図を示している。これは、線側および設備側モジュールの３つ分の高さの建造である。ほかのところで述べるように、ＢＦＴＦＭは、使用者が交換機における接点間の接続を行なえるために連接／配線機能を果たす。ＢＦＴＦＭは、パッチ接続管コネクタ（１３）を備えているパッチパネル（１１）を有している。この実施の形態では、パッチ管の端部は、接続経路を規定するためにレシーバに押し嵌めされる。好適な実施の形態では、パッチ接続パネルは、横方向に１９個、深さ方向に１４個の管コネクタを格子状またはマトリックス構成またはアレイ状に備えている。
【００４９】
（図３における１４ａおよび１４ｂのような）１対のＢＦＴＦＭのパッチパネルによれば、使用者がファイバ接続部を交換機内で方向づけたり、再づけたりする際のかなりの範囲および汎用性を許容する。管の端部を関連した管コネクタに押し嵌めることによって管経路が形成された後、ファイバをこの経路に沿って、源（例えば、引込ケーブル）からＢＦＴＦＭを経て目標箇所（例えば、設備ラック２）まで、或いは反対方向に吹込みことができる。ファイバの接続は、ファイバを管経路から取出し、管を関連ＢＦＴＦＭにおける管コネクタから引き出すことによって、次いで、必要なら、新しい源から、或いは新しい目標箇所までの経路を形成するために前記工程を繰返すことによって、容易に取外されたり、再方向づけされたりすることができる。
【００５０】
図８における左側の概略図は、各ＢＦＴＦＭに位置決めされたパッチ接続パネル間の管パッチ接続の詳細を伴った（同ページの右側に示され、上述された）ＢＦＴＦＭスートの側面図を示している。パッチ接続管が、コネクタ１３から下方に出ていることがわかる。組立体の下方高さにおけるスートにおいて、パッチ管が、スートの正面および背面（または、図示のように、左側および右側）をつないでいる。また、頂部の右側ＢＦＴＦＭが、パッチ接続管を使用して中間の左側ＢＦＴＦＭと接続されていることがわかる。同様に、ＢＦＴＦＭの中間段の各々は、積重体の最下段に接続されている。明らかに、図は、単に例示的であり、一般に、パッチ管接続のより高い密度が、実生活に使用される。
【００５１】
パッチ接続管（１７）の経路は、この図におけるＢＦＴＦＭの異なるレベル間でルーティングされることができる。
【００５２】
図９ないし９Ｄは、一般種類のＯＦＲを使用して図６において上述された装着のための代表的な建造順序を示している。下記の工程は、図面に対する番号付けと一致している。
【００５３】
一次汎用性スート（図３の４および１４ｃ）の装着  
１.  ＯＦＲ（明確のために図面では後部カバーは除去されている）（４）を装着する。引込ケーブル（５）を装着し、それらのファイバをスプライストレー、好ましくは、単一回路のところで終らせる。ケーブルは、上または下から入ることができる。  
２.  １つのＢＦＴＦＭ（１４ｃ）をＯＦＲの後部に隣接して装着する。各ＢＦＴＦＭは、代表的には、３８４個のＢＦ管、４ｘ９６のファイバケーブルの同等物を受入れることができる。代表的には１１５２個の個々のＢＦ管を受入れるために、第２および第３のＢＦＴＦＭを汎用性スートに追加することができる。  
３.  垂直ケーブルトレー（２０）、マンドレルアダプタ（２２）および内部曲りマンドレル（２４）を装着する。マンドレルは、過剰曲りを防ぐためにファイバ管の曲がりを確実に管理する。この場合、ケーブルは上方に延びている。
【００５４】
次の二次汎用性スート（例えば、図３の１４ａおよび１４ｂ）の装着
４.  垂直ケーブルトレー（２５）、支持フレーム側板（２８）およびフレームストラップ（３０）を交換機床に装着する。  
５.  外側曲りマンドレル（３２）および線側ＢＦＴＦＭ（１４ｂ）を付設する。  
６.  第２の垂直ケーブルトレー（２８）、設備側ＢＦＴＦＭ（１４ａ）、マンドレルアダプタおよび内部曲りマンドレルを装着する。  
このとき、二次汎用性スートは、ＢＦ管を受入れる用意が整っている。図示の装置は３８４個までのパッチ管を受入れることができる。
【００５５】
ＢＦ管の装着
７.  ＢＦ管（１６）の突出端部をＢＦＴＦＭ（１４）の縁部と同じ高さに切断する。収容された各管を、その曲り半径が制御されるように、プラスチック管マンドレルの上方にルーティングする。次いで、管を所定長さに切断し、そしてパッチパネルの適切な穴に位置決めされている押し嵌め隔壁継手に詰め込む。  
８.  垂直ケーブルトレーとのインターフェースの例示―上方
９.   垂直ケーブルトレーとのインターフェースの例示―下方。
【００５６】
電気通信交換機の関係において確実な曲がり管理の使用の説明を助ける図１０および図１１を参照して説明する。前述のように、この技術は、最小の許容可能な曲り半径より小さい半径でのファイバの曲がりから生じる問題に取り組んでいる。周知のように、光ファイバをあまりにもきつく曲げると、著しい光学的損失および／または機械的ファイバ損傷が生じるものと思われる。光ファイバの束は、それらの構成ファイバのものより大きい最小の許容可能な曲がり半径を有している。（単に、ファイバに、汎用性スートから汎用性スートまでのそれ自身の経路を見出させることとは対照的に）ファイバの曲りを制御し、管理することは、光管または光ファイバが吹込みファイバ装着および／または最適なファイバの性能を損なうことがあるぴんと張った半径までねじられたり曲げられたりするのを防ぐ助けになる。ファイバは所定の経路内に閉じ込められることができ、或いは最小の許容可能な曲り限度であっても、その近くであってもよい理想の半径を描く曲線に沿って単に案内されることができる。
【００５７】
光ファイバのこの特性は、大型の電気通信交換機における特定の問題である。例として、英国の電気通信ピック（ｐｉｃ）は、英国全体にわたって４０００個より多い交換機の時期を定めなければならなく、それらのうちの或る２００が、各々、２００００以上の顧客に役立っている。最も大きい交換機は、多数の床、数百の設備ラックおよび交換機建造物のまわりおよびそれ全体にわたってルーティングされた非常に多数のファイバ／銅ケーブルを有している。時間が経過するにつれて、交換機は、より重く占められ、設備および顧客の要求などに変化し、ケーブルの再ルーティングおよび再終結を必要とする。ケーブルにより取られる経路が、未制御であれば、光ファイバの性能を損なうことがわかった。例えば、ジャンパケーブルが再使用されれば、このケーブルは、切られ、そして再接続され、非常にしばしば、このケーブルは、非常に短くて両側間に容易には達しなく、ぴんと張られなければならず、かくして図１０に示されるように、最小の曲り半径寸法を危うくする。これは、もちろん、ファイバおよび回路の性能に影響するが、交換機により果たされる顧客の要求の変化、すなわち、ケーブルの経路の変化を必要とする設備の格上げおよび交換機を占めるケーブルの数の増大のため、交換機に一般に起こることである。
【００５８】
図１１Ａおよび図１１Ｂは、図９に関連して上述されたＢＦＴＦＭを示しており、また確実な管曲り管理の技術が如何に使用されるかを示している。図１１Ａおよび図１１Ｂは、代表的なＢＦＴＦＭ機構においてケーブルの曲りが制御され、管理される（４０）ことができる場合を示している。
【００５９】
管曲り管理装置は、管が巻きつけられる湾曲ガイドまたはマンドレルの形態をとることができる。湾曲の程度は、使用されているケーブル管の正確な種類に依存しているが、これは、英国では、代表的に焼く５０ｍｍの半径である。
【００６０】
図１１Ｃおよび図１１Ｄは、図９と関連して論述された種類のＢＦＴＦＭにおいて、管（１６）が確実な管曲り管理を受けることができる場合およびその受け方を示している。曲り制御マンドレル（２４）により、光ファイバ（１６）は、それに適した半径の曲線のまわりに制御式で案内されて過度にぴんと張ったケーブルのルーティングを防ぐ。
【００６１】
図１２は、ＢＦＴＦＭに対する確実な管曲り管理の１つの適用の詳細を示している。この図の右側には、パッチ接続パネル（１１）におけるパッチ接続ユニットの実施の形態の拡大図が示されている。ファイバ曲り半径を制御する他の手段としては、曲り制限管（または通常の管における曲り制限ブーツ）の使用、管外装マンドレルの選択（すなわち、より堅いまたはより剛性の材料の使用）、および過剰の曲りを妨げることができる厚さ（すなわち、パッチ接続のために代表的に使用される長さでは、過剰の曲りを表す半径でさほど曲げられないようである肉厚の使用）などがある。この実施の形態では、ガイド（１５）は、レシーバを通っている管およびファイバの曲り半径を受入れて制御するために管に或いはその隣に位置決めされている。これらのガイドは、図１０に示される過剰曲りの種類を防ぐのを助ける。
【００６２】
図１３は、ＢＦＴＦＭに設けられた場合の本発明のパッチ接続ユニットの他の好適な実施の形態を示している。この実施の形態では、このユニットは、２つの主部品を備えており、第１部品は、モジュールに入る（或いはそこから出る）ＢＦＴ（１７）を受入れるように構成されたコネクタボディであり、第２部品は、このボディに嵌合された管コネクタ（１３）である。コネクタボディは、ＢＦＴおよびファイバの過剰の曲りを防ぐように成形されてガイド（１５）として機能するチャンネルを有している。ＢＦＴは、管コネクタ（１３）に押し嵌めされている。管コネクタは、コネクタボディ（１９）に固定されており、２つの受入れる部分‘２１）のうちの一方のみがこの図１３で見えている。
【００６３】
管コネクタは、パッチ接続ユニットの残部から外されて示され、図１４に更に詳細に示されている。この管コネクタは、本質的に、２つの受入れ部分（２１）を両端に各１つずつ有するコネクタ管（２３）よりなる。
【００６４】
パッチ接続ユニットは、ＢＦＴＦＭに装着されると、パッチ接続パネル（１１）にマトリックスを形成し、それにより使用者が２つのＢＦＴＦＭ間に、かくして交換機の広い範囲に管状経路を生じて引込ケーブル（５）と目標設備ラック（２）との間に管状経路の一部を形成し得る。パッチ接続ユニットのこの実施の形態の他の図が図１５に示されており、図１５は、ＢＦＴＦＭに設けられたパッチ接続ユニットと、ＢＦＴ（１７）により取られて管コネクタ（１３）を通る経路の部分とを示している。例えば図８と関連して上述したように、本実施の形態における管は、押し嵌め構成でパッチパネルに接続されている。押し嵌めコネクタが使用するのに非常に有利であるが、例えば、管をパッチパネルに固定したり或いはシールしたりするために接着したり或いは溶接したりすることができるものとして、締付け式またはねじ込み式コネクタを使用することができるが、このような永久または半永久のものは、本発明が潜在的にもたらす再ルーティングの汎用性を危うくする。
【００６５】
図１５は、アーム（２５）が上方を指し、且つコネクタ（１３）が下方を指すように、ＢＦＴＦＭのパッチパネルに設けられた位置に着座しているパッチ接続ユニットを示している。図８と関連して上述したように、このＢＦＴＦＭのこの実施の形態では、（１つのパッチ接続パネルにおいて１９個が横方向、１４個が深さ方向の）２６６個までのこのようなパッチ接続ユニットが受入れられることができる。最後に引込ケーブル（５）または設備ラック（２）から或いはそれに通じるＢＦＴが、コネクタアーム間でコネクタボディに位置するように位置決めされている。ガイド（１５）として作用するチャンネルは、ＢＦＴを管コネクタ（１３）に導き、そしてケーブルの過剰曲りを防ぐ。このＢＦＴはチャンネルの端部に位置決めされた管コネクタ（１３）の受入れ部分（２１）の押し嵌めされている（図面では見えない）。コネクタユニットの反対端部の他の管コネクタは、管状経路をＢＦＴＦＭから離し続けるように、他の長さのＢＦＴを同時に或いは別々に受入れ得る。
【００６６】
以上の論述は、主に、設備ラックと、交換機を外部の電気通信ネットワークに接続する引込ケーブルとの間に本発明により生じられる接続に関しているが、熟練者は、任意の他の発生点から交換機内または交換機の外側の任意の目標点に接続するために同様な効果または利点をもって本発明を展開することができることを容易に認めるであろう。更に、電気通信交換機建造物の内容で特定の説明が行なわれているが、本発明は、従来のコネクタ付きおよび／または接合された光ファイバまたは現在のＢＦＴ管理の実施例に代わりに、本発明による吹込みファイバ技術を使用することができる任意の他の環境に用途を有することができることが明らかであろう。詳細には、本発明は、地方地域のネットワーク（ＬＡＮ）環境に使用されてもよい。
【００６７】
また、熟練者は、本発明がケーブル接続される用意の整った新規な機構における使用に限定されなく、ここ記載のようにしてすでにケーブル接続されている機構における使用にも限定されないことを認めるであろう。詳細には、光ファイバの再ルーティングに関する本発明の態様は、本発明の方法をこのような従来の機構に徐々に移行するために従来の装置においても適用されることができる。本発明を使用する利点は、このような用途においても実現されることができる。
【図面の簡単な説明】
【００６８】
【図１】現在の従来の方法により現在展開されている光ファイバケーブルを使用している交換機装置の概略図である。
【図２Ａ】現在の従来の方法による光ファイバケーブルを使用している引込ケーブルと目標の設備ラックとの間の経路を再ルーティングする既存の方法を示す概略図である。
【図２Ｂ】現在の従来の方法による光ファイバケーブルを使用している引込ケーブルと目標の設備ラックとの間の経路を再ルーティングする既存の方法を示す概略図である。
【図３】本発明による交換機装置の概略図である。
【図４Ａ】本発明による引込ケーブルと目標の設備ラックとの間の経路を再ルーティングする既存の方法を示す概略図である。
【図４Ｂ】本発明による引込ケーブルと目標の設備ラックとの間の経路を再ルーティングする既存の方法を示す概略図である。
【図５】本発明による交換機装置の他の実施の形態の概略図である。
【図６】本発明による交換機装置の更なる実施の形態の概略図である。
【図７】吹込みファイバ汎用性管モジュール（ＢＦＴＦＭ）を示す図である。
【図７Ａ】単一モジュール構造におけるＢＦＴＦＭの構成を示す図である。
【図７Ｂ】２モジュール構造におけるＢＦＴＦＭの構成を示す図である。
【図７Ｃ】３モジュール構造におけるＢＦＴＦＭの構成を示す図である。
【図７Ｄ】４モジュール構造におけるＢＦＴＦＭの構成を示す図である。
【図７Ｅ】５モジュール構造におけるＢＦＴＦＭの構成を示す図である。
【図７Ｆ】６モジュール構造におけるＢＦＴＦＭの構成を示す図である。
【図８】吹込みファイバ管で部分的に占められる図７に示される種類のＢＦＴＦＭのスートを示していて、ＢＦＴＦＭ内および間のパッチ接続管により取られる経路の図である。
【図９】図３に示されるような種類の交換機装置の代表的な建造配列を示す図である。
【図９Ａ】図３に示されるような種類の交換機装置の代表的な建造配列を示す図である。
【図９Ｂ】図３に示されるような種類の交換機装置の代表的な建造配列を示す図である。
【図９Ｃ】図３に示されるような種類の交換機装置の代表的な建造配列を示す図である。
【図９Ｄ】図３に示されるような種類の交換機装置の代表的な建造配列を示す図である。
【図１０】現在の方法による交換機におけるケーブル展開の例を示す図である。
【図１１Ａ】ＢＦＴＦＭにおける確実な管曲り管理の使用を示す図である。
【図１１Ｂ】ＢＦＴＦＭにおける確実な管曲り管理の使用を示す図である。
【図１１Ｃ】ＢＦＴＦＭにおける確実な管曲り管理の使用を示す図である。
【図１１Ｄ】ＢＦＴＦＭにおける確実な管曲り管理の使用を示す図である。
【図１２】ＢＦＴＦＭ内のパッチ接続手段の拡大図である。
【図１３】パッチ接続手段の他のより好適な実施の形態を示す図である。
【図１４】図１３のパッチ接続手段と共に使用される管コネクタの詳細を示す図である。
【図１５】ＢＦＴＦＭに設けられた図１３のパッチ接続手段の他の図である。
【図１】
0004515449.tif 000002
【図２Ａ】
0004515449.tif 000003
【図２Ｂ】
0004515449.tif 000004
【図３】
0004515449.tif 000005
【図４Ａ】
0004515449.tif 000006
【図４Ｂ】
0004515449.tif 000007
【図５】
0004515449.tif 000008
【図６】
0004515449.tif 000009
【図７】
0004515449.tif 000010
【図７Ａ】
0004515449.tif 000011
【図７Ｂ】
0004515449.tif 000012
【図７Ｃ】
0004515449.tif 000013
【図７Ｄ】
0004515449.tif 000014
【図７Ｅ】
0004515449.tif 000015
【図７Ｆ】
0004515449.tif 000016
【図８】
0004515449.tif 000017
【図９】
0004515449.tif 000018
【図９Ａ】
0004515449.tif 000019
【図９Ｂ】
0004515449.tif 000020
【図９Ｃ】
0004515449.tif 000021
【図９Ｄ】
0004515449.tif 000022
【図１０】
0004515449.tif 000023
【図１１Ａ】
0004515449.tif 000024
【図１１Ｂ】
0004515449.tif 000025
【図１１Ｃ】
0004515449.tif 000026
【図１１Ｄ】
0004515449.tif 000027
【図１２】
0004515449.tif 000028
【図１３】
0004515449.tif 000029
【図１４】
0004515449.tif 000030
【図１５】
0004515449.tif 000031